(57)【要約】【課題】グルーオンのW＋とZ0、uクオークとdクオーク、ヒッグス粒子とはどのようなものであるか。光速2の陽子の中の状態はどうであるか。【解決手段】軌道エネルギー＝速度2．この事により、速度を光速にすると、軌道のエネルギーは9×1016倍に成る。陽子を光速にし、陽子のラブのエネルギーが9×1016倍に成る。それを衝突させる事によって、陽子の中の物が放出する。素粒子の正体は、9×1016倍のエネルギーに成った陽子のラブが作ったものである。9×1016倍のエネルギーに成った陽子のラブは自転し磁気の光子を作り、公転し電気の光子を作る。これらの電磁気が放出し、素粒子と見なされた。9×1016倍のエネルギーに成った陽子の中の状態を知り、グルーオンのW＋とZ0、uクオークとdクオーク、ヒッグス粒子はその陽子の中のどの部分に存在したかを知る。【選択図】図2
2014023287.tif 000002
【特許請求の範囲】
【請求項１】
光速に加速すると、どうしてその中の物のエネルギーは光速2に成るのか。
軌道エネルギー＝速度2．軌道の速度をamとすると、軌道のエネルギーはa2Jに成る。
それで、軌道の速度を光速にすると、軌道のエネルギーは光速2になる。
軌道を光速に加速すると、その中の物のエネルギーは光速2に成る
【請求項２】
陽子と陽子を光速まで加速し衝突させ、そこに放出する物は何か。
電子を急にカーブさせると、電子の外側の光子が放出する。電子を何かに衝突させると、電子の中の光子が放出する。
光速に加速した陽子と陽子を衝突させると、光速まで加速した陽子の中にある物が放出する。
陽子と陽子を光速まで加速し衝突させ、そこに放出する物は光速まで加速した陽子の中にある物です。
【請求項３】
光速に加速した陽子の中には何が存在するか。
光速に加速した陽子の中のエネルギーは速度2に成っている。陽子のラブのエネルギーは光速2倍に成っている。陽子のラブが作る電磁気のエネルギーも光速2倍に成っている。
光速に加速した陽子の中には、光速2倍のエネルギーの陽子のラブとその陽子のラブが作った光速2倍のエネルギーの電磁気が存在する。
【請求項４】
光速に加速した陽子を衝突させた時、放出する物は何か。
光速に加速した陽子を衝突させた時放出する物は、光速2倍のエネルギーの陽子のラブとその陽子のラブが作った光速2倍のエネルギーの電磁気です。
しかし、陽子のラブは再び自転し、公転し、磁気の光子と電気の光子を作り続けるので、陽子として存在し続ける。それで、電磁気だけが放出したように見える。
【請求項５】
光速に加速した陽子を衝突させた時放出する物のエネルギーは、地表においてはどれくらいのエネルギーであるか。
光速に加速した陽子を衝突させた時放出する物のエネルギーは、地表のエネルギーの光速2倍ですから、そのエネルギーは、地表においては光速2分の1です。
【請求項６】
陽子と陽子を秒速bmになるまで加速し、それを衝突させた場合、どのような物が放出するか。
その軌道の速度は秒速bmですから、軌道エネルギーはb2倍に成ります。軌道のエネルギーは、b2倍に成ります。それで、陽子のラブのエネルギーはb2倍に成ります。陽子のラブの自転と公転によってできた磁気の光子のエネルギーと電気の光子のエネルギーもb2倍に成ります。
それで、それを衝突させて放出する物は、b2倍のエネルギーに成った磁気の光子と電気の光子です。
b2倍のエネルギーに成った陽子のラブは放出後もそのまま陽子のラブとして存在し、自転し、公転しながら磁気の光子と電気の光子を作っている。即ち、陽子として存在している。
【請求項７】
Uクオークの軌道はいくらか。このUクオークの軌道は妥当であるか。
・Uクオークの軌道はいくらか。
素粒子の軌道エネルギーは、8.665×10-24Jm、です。
Uクオークの質量は1.7〜3.1Mevです。質量を中間の値とします。質量＝(1.7 Mev＋3.1Mev)÷2＝2.4 Mev。エネルギー＝2.4×106×1.60217×10-19J＝3.845×10-13J。
それで、Uクオークの軌道は、軌道＝8.665×10-24Jm÷(3.845×10-13J)＝2.254×10-11m。
Uクオークの軌道は2.254×10-11mです。
・このUクオークの軌道は妥当であるか。
陽子の大きさは、8.665×10-24Jm÷(938.272×106×1.60217×10-19J)＝8.665×10-24Jm÷(1.5033×10-10J)＝5.764×10-14m、です。
Uクオークの軌道は2.254×10-11mであるとすると、陽子の大きさより大きい事になる。
それで、Uクオークの軌道は2.254×10-11mではない。
【請求項８】
クオークは何であるか。
クオークのスピンは1/2ですから、クオークは電磁気である。
【請求項９】
uクオークの軌道はいくらか。dクオークの軌道はいくらか。
・uクオークの軌道はいくらか。
クオークは電磁気であるから、uクオークの質量は0です。
uクオークのエネルギーは、エネルギー＝2.4×106×1.60217×10-19J＝3.845×10-13J
uクオークの軌道は、軌道＝電気の光子の軌道エネルギー÷エネルギー＝1.233×10-41Jm÷(3.845×10-13J)＝3.2067×10-29m、です。
・dクオークの軌道はいくらか。
dクオークの質量は0です。dクオークのエネルギーは、4.1Mev〜5.7Mevです。エネルギーを中間の値とします。エネルギー＝(4.1 Mev＋5.7Mev)÷2＝4.9 Mev。エネルギー＝4.9×106×1.60217×10-19J＝7.8506×10-13J。
軌道＝1.233×10-41Jm÷(7.8506×10-13J)＝1.5706×10-29m、です。
【請求項１０】
グルーオンのW＋の質量とエネルギーと軌道はいくらか。
W＋は、＋1の電荷で、スピンは1、質量は80.399G＋−0.023Gevです。
スピン１は、電気の光子です。それで、W＋は電気の光子です。それで、質量は0です。エネルギーは、80.399＋−0.023Gevです。W＋のエネルギーを80.400 Gevとします。エネルギー＝80.400×109×1.60217×10-19J＝1.2881×10-8J。
軌道＝1.233×10-41Jm÷(1.2881×10-8J)＝9.5722×10-34m。
【請求項１１】
グルーオンのZ0の質量とエネルギーと軌道はいくらか。
スピン１は、電気の光子です。それで、Z0は電気の光子です。それで、質量は0です。エネルギーは、91.188＋−0.002Gevです。Z0のエネルギーを91.188 Gevとします。エネルギー＝91.188×109×1.60217×10-19J＝1.4610×10-8J。
軌道＝1.233×10-41Jm÷(1.4610×10-8J)＝8.4394×10-34m。
【請求項１２】
ヒッグス粒子の質量とエネルギーと軌道はいくらか。ヒッグス粒子のスピンが1で磁気の光子の場合。
ヒッグス粒子の質量は陽子の130倍だといいます。これは、エネルギーです。
ヒッグス粒子は粘りがあり、抵抗があるといいます。これは磁気の光子の性質です。それで、ヒッグス粒子は磁気の光子です。
質量は0です。ヒッグス粒子のエネルギーを125.3Gevとします。ヒッグス粒子のエネルギー＝125.3×109×1.60217×10-19J＝2.0075×10-8J。このエネルギーは1公転でできる磁気の光子のエネルギーです。4.34×104個の磁気の光子のエネルギーです。この軌道は電気の光子の軌道と同じです。
磁気の光子の軌道＝1.233×10-41Jm÷(2.0075×10-8J)＝6.1420×10-34m。
但し、1個の磁気の光子のエネルギーは、2.0075×10-8J÷(4.34×104個)＝4.626×10-13J、です。
但し、1個の磁気の光子の軌道は、公転軌道×3.14÷1公転の自転数＝6.1420×10-34m×3.14÷(4.34×104個)＝4.444×10-38m、です。
【請求項１３】
ヒッグス粒子のスピンを1/2とし、電気の光子＋磁気の光子、であると考える場合の電気の光子のエネルギーと磁気の光子のエネルギーはいくらで、電磁気の軌道はいくらか。
ヒッグス粒子の質量は125.3GeVですから、このエネルギーは2.0075×10-8Jです。これは、電気の光子のエネルギー+磁気の光子のエネルギーです。
電気の光子のエネルギー＝磁気の光子のエネルギー、ですから、電気の光子のエネルギー＝磁気の光子のエネルギー＝2.0075×10-8J÷2＝1.00375×10-8J、です。
この軌道は、軌道＝1.233×10-41Jm÷(1.00375×10-8J)＝1.2284×10-33m、です。
まとめて表にする。
表１
2014023287.tif 000010
この表により理解できる事。
１．グルーオンとヒッグス粒子は陽子の中に存在するはずなのに、陽子の質量エネルギーより大きいのは理に反する。
2．このデーターは陽子を光速に加速し、加速された陽子の中のエネルギーであるから、地表においてのエネルギーはその(3×108)2分の1です。
3．速度2＝軌道エネルギー。この場合、軌道はありませんから、速度2＝エネルギー、です。
4．軌道の速度は電気の光子のエネルギーでできます。電気の光子のエネルギー＝速度2、です。それで、光速にした場合の軌道のエネルギー＝電気の光子のエネルギー＝光速2倍です。
5．速度を3×108mにしたので、陽子のエネルギーは9×1016倍に成る。
6．この表は、W＋、Z0、uクオーク、dクオーク、ヒッグス粒子を電磁気であるとし、電気の光子の軌道＝1.233×10-41Jm÷電気の光子のエネルギー、の式により計算したものです。
【請求項１４】
光速に加速された陽子の中の電気の光子のエネルギー(＝W＋)は、地表の陽子の中の電気の光子のエネルギーの何倍になるか。
・地表の陽子のラブの公転軌道はいくらか。この公転でできる電気の光子の軌道はいくらか。
地表の陽子のラブのエネルギーは、938.272×106×1.60217×10-19J＝1.5033×10-10Jです。
陽子のラブの軌道は、8.665×10-24Jm÷(1.5033×10-10J)＝5.764×10-14m、です。
地表の陽子のラブの公転軌道は、5.764×10-14mです。
陽子のラブがこの軌道を公転する事により、電気の光子ができる。
それで、陽子の中でできる電気の光子の軌道は5.764×10-14mです。
・地表の陽子の中の電気の光子の軌道は、光速に加速された陽子の中の電気の光子(W＋)の軌道の何倍か。
地表の陽子の中の電気の光子の軌道÷光速に加速された陽子の中の電気の光子(W＋)の軌道＝5.764×10-14m÷W＋の軌道＝5.764×10-14m÷(9.5722×10-34m)＝6.022×1019
地表の陽子の中の電気の光子の軌道は、光速に加速された陽子の中の電気の光子(W＋)の軌道の6.022×1019倍です。
・光速に加速された陽子の中の電気の光子(W＋)のエネルギーは、地表の陽子の中の電気の光子のエネルギーの何倍になるか。
地表の陽子の中の電気の光子のエネルギーは、エネルギー=1.233×10-41Jm÷(5.764×10-14m)＝2.139×10-28J、です。
光速に加速された陽子の中の電気の光子(W＋)のエネルギー÷地表の陽子の中の電気の光子のエネルギー
＝W＋のエネルギー÷2.139×10-28J＝1.2881×10-8J÷(2.139×10-28J)＝6.022×1019．
光速に加速された陽子の中の電気の光子のエネルギー(W＋)は、地表の陽子の中の電気の光子のエネルギーの6.022×1019倍です。
【請求項１５】
陽子を光速にする事によって陽子の中の電気の光子のエネルギーはどのように変化したか。この事は、何を証明するか。
陽子を光速にする事によって陽子の中の電気の光子(W＋)のエネルギーは6.022×1019倍になった。
・この事は、何を証明するか。
陽子の速度を光速に加速する事によって、陽子の中の電気の光子(W＋)のエネルギーは、6.022×1019倍になった。
これは、光速2の何倍か。
6.022×1019倍÷(3×108)2＝6.691×102倍。
陽子を光速にする事によって陽子の中の電気の光子(W＋)のエネルギーは、光速2×6.691×102倍に成った。
この事を表に示す。
表2
2014023287.tif 000011
この事によって理解した事。
1．陽子を光速にする事によって陽子の中の電気の光子(W＋)のエネルギーは、光速2×6.691×102倍に成った。
【請求項１６】
陽子を光速にする事によって陽子の中のZ0とuクオークとdクオークとヒッグス粒子は、地表の粒子の何倍のエネルギーに成ったものか。これは光速2の何倍か。
Z0の場合。
Z0のエネルギー÷地表の陽子の中の電気の光子＝1.4610×10-8J÷(2.139×10-28J)＝6.830×1019(倍)
6.830×1019倍÷(9×1016)＝7.589×102倍。
uクオークの場合。
uクオークのエネルギー÷地表の陽子の中の電気の光子＝3.845×10-13J÷(2.139×10-28J)＝1.798×1015(倍)
1.798×1015倍÷(9×1016)＝1.998×10-2倍。
dクオークの場合。
dクオークのエネルギー÷地表の陽子の中の電気の光子＝7.8506×10-13J÷(2.139×10-28J)＝3.670 ×1015(倍)
3.670 ×1015倍÷(9×1016)＝4.078×10-2倍。
ヒッグス粒子の場合。
ヒッグス粒子のエネルギー÷地表の陽子の中の電気の光子＝2.0075×10-8J÷(2.139×10-28J)＝9.385×1019(倍)
9.385×1019倍÷(9×1016)＝1.043×103倍。
この事を表に示す。
表3
2014023287.tif 000012
この事によって理解できたこと。
１．uクオークとdクオークのエネルギーは、地表の陽子の中の電気の光子のエネルギー×9×1016倍より小さい。小さいエネルギーが光子のエネルギーに成っているので、減少したエネルギーの光子がuクオークとdクオークに成っている。
2．W＋、Z0、ヒッグス粒子のエネルギーは、地表の陽子の中の電気の光子のエネルギー×9×1016の6.7×102倍〜10×102倍です。
3．この事は、地表の陽子の中の電気の光子のエネルギーも6.7×102倍〜10×102倍のエネルギー差があるのかもしれない。
4．電子の中の特性X線のように、K系、L系、M系、のように、軌道別(エネルギー別)に分かれて存在していると考えられる。
5．例えば、AuのK系特性X線の波長は、0.0153nm〜0.0182nmで、L系特性X線の波長は、0.0927nm〜0.1277nmで、M系特性X線の波長は、0.5840nm〜0.747nmです。
このように分かれて存在していると考えられる。
6．それで、地表の陽子の中の電気の光子のエネルギーも6.7×102倍〜10×102倍のエネルギー差があるのかもしれない。
7．この事によって、光速に加速した時も、このエネルギーの差が現れたと考える。
【請求項１７】
光速に加速し、陽子の中から放出したエネルギーで、グルーオンのW＋とZ0の質量エネルギーやクオークの質量エネルギーやヒッグスの質量エネルギーを求めた。光速に加速しない陽子の中で、これらの粒子のエネルギーはいくらか。
光速に加速する事によって、電気の光子のエネルギーは(3×108)2倍に成る。光速に加速する以前の、地表でのエネルギーはいくらであったか。この光子の軌道はいくらであったか。
W＋の場合。
地表でのエネルギー＝W＋のエネルギー÷(9×1016)＝1.2881×10-8J÷(9×1016)＝1.431×10-25J。
この光子の軌道＝1.233×10-41Jm÷(1.431×10-25J)＝8.616×10-17m。
Z0の場合。
地表でのエネルギー＝Z0のエネルギー÷(9×1016)＝1.4610×10-8J÷(9×1016)＝1.623×10-25J。
この光子の軌道＝1.233×10-41Jm÷(1.623×10-25J)＝7.597×10-17m。
uクオークの場合。
地表でのエネルギー＝uクオークエネルギー÷(9×1016)＝3.845×10-13J÷(9×1016)＝4.272×10-30J。
この光子の軌道＝1.233×10-41Jm÷(4.272×10-30J)＝2.886×10-12m
dクオークの場合。
地表でのエネルギー＝dクオークエネルギー÷(9×1016)＝7.8506×10-13J÷(9×1016)＝8.723×10-30J。
この光子の軌道＝1.233×10-41Jm÷(8.723×10-30J)＝1.414 ×10-12m
ヒッグス粒子の場合。
地表でのエネルギー＝ヒッグス粒子のエネルギー÷(9×1016)＝2.0075×10-8J÷(9×1016)＝2.231×10-25J。
この光子の軌道＝1.233×10-41Jm÷(2.231×10-25J)＝5.527×10-17m。
この事を表に示す。
表4
2014023287.tif 000013
この事によって理解できる事。
１．光速に加速した粒子のエネルギーは、地表ではその9×1016分の1です。
2．地表でのエネルギーが粒子のエネルギーとして記されるべきである。
【請求項１８】
光速に加速した陽子のラブの状態はどのようであるか。
・光速に加速した陽子のラブのエネルギーは、1.5033×10-10J×9×1016＝1.353×107J、です。
これは、1.353×107J÷(109×1.60217×10-19J)=8.445×1016GeV
・もし、光速に加速された陽子のラブが発見されるとしたら、そのエネルギーは、1.353×107J ＝8.445×1016GeVです。
この公転軌道は、8.665×10-24Jm÷(1.353×107J)＝6.404×10-31m。
この公転軌道は6.404×10-31mです。
この自転軌道は、公転軌道×3.14÷1公転の自転数＝6.404×10-31m×3.14÷(4.34×104)＝4.633×10-35m。
この自転軌道は4.633×10-35mです。
・もし、光速に加速された陽子のラブが発見されるとしたら、陽子のラブの公転軌道は6.404×10-31mで、1公転で作る電磁気の公転軌道は、6.404×10-31mで、そのエネルギーは、1.233×10-41Jm÷(6.404×10-31m)＝1.925×10-11J、です。
・光速に加速された陽子のラブが1公転で作る電気の光子1個の軌道は6.404×10-31mで、エネルギーは1.925×10-11Jです。
・光速に加速された陽子のラブが1公転で作る磁気の光子4.34×104個の軌道は6.404×10-31mで、エネルギーは1.925×10-11Jです。
光速に加速された陽子のラブが1自転で作る磁気の光子1個の軌道は4.633×10-35mで、エネルギーは、電気の光子エネルギー÷1公転の磁気の光子の数＝1.925×10-11J
J÷(4.34×104)＝4.435×10-１６J、です。
・光速に加速された陽子のラブが1自転で作る磁気の光子1個の軌道は4.633×10-35mで、エネルギーは4.435×10-１６Jです。
この事を表に示す。
光速に加速した陽子のラブの状態
表5
2014023287.tif 000014
【請求項１９】
もし、W＋、Z0、uクオーク、dクオーク、ヒッグス粒子が、光速に加速した陽子のラブが1公転で作る1.925×10-11Jのエネルギーでできたとしたなら、何個の電気の光子でできたか。
W＋の場合。
W＋のエネルギー÷光速に加速した陽子のラブが1公転で作る1個の電気の光子のエネルギー＝1.2881×10-8J÷(1.925×10-11J)＝6.691×102個
Z0の場合。
Z0のエネルギー÷光速に加速した陽子のラブが1公転で作る1個の電気の光子のエネルギー＝1.4610×10-8J÷(1.925×10-11J)＝7.590×102個
uクオークの場合。
uクオークのエネルギー÷光速に加速した陽子のラブが1公転で作る1個の電気の光子のエネルギー＝3.845×10-13J÷(1.925×10-11J)＝1.997×10-2個
dクオークの場合。
dクオークのエネルギー÷光速に加速した陽子のラブが1公転で作る1個の電気の光子のエネルギー＝7.8506×10-13J÷(1.925×10-11J)＝4.078×10-2個
ヒッグス粒子の場合。
ヒッグス粒子のエネルギー÷光速に加速した陽子のラブが1公転で作る磁気の光子のエネルギー＝2.0075×10-8J÷(1.925×10-11J)＝1.043×103個
この事を表に示す。
表6
2014023287.tif 000015
この事によって理解できる事。
1．光速に加速された陽子のラブのエネルギーは、9×1016倍のエネルギーに成り、1.925×10-11Jの光子を作る。この光子が集まって、W＋やZ0やヒッグス粒子ができたとも考えられる。
2．光速に加速された陽子のラブは、1公転で1.925×10-11Jの磁気の光子を作ります。それで、引力は大きい。そのため、電気の光子や磁気の光子は集まる。
3．W＋は6.691×102個の1.925×10-11Jの電気の光子が集まった物です。Z0は7.590×102個の1.925×10-11Jの電気の光子が集まった物です。ヒッグス粒子は1.043×103個の1.925×10-11Jの磁気の光子が集まった物です。
4．クオークは1.925×10-11Jよりエネルギーが小さいので、集合して存在したのではない。
5．9×1016倍のエネルギーの場では、W＋やZ0やヒッグス粒子はこの個数の光子に崩壊する。それから更に低エネルギーの場になると、更にたくさんの低エネルギーの光子に崩壊する。
【請求項２０】
もし、W＋やZ0やヒッグス粒子が加速した陽子のラブでできたとすると、陽子のラブのエネルギーはいくらであったか。
陽子のラブの公転軌道と同じ軌道の電磁気ができたとする。
W＋の場合。
電気の光子の軌道＝9.5722×10-34m。それで、陽子のラブの軌道＝9.5722×10-34m。陽子のラブのエネルギー＝8.665×10-24Jm÷(9.5722×10-34m)＝9.052×109J.
陽子のラブのエネルギーが9.052×109Jのとき、陽子のラブの軌道は9.5722×10-34mとなり、1公転で、軌道が9.5722×10-34m
で、1.2881×10-8Jの電気の光子を作る。
この場合、陽子のラブは、地表の、9.052×109J÷(1.5033×10-10J)＝6.021×1019倍のエネルギーに成っている。
この場合、W＋の電気の光子は1つではなくたくさんできる。陽子のラブが公転している間中できる。
Z0の場合。
電気の光子の軌道＝8.4394×10-34m。それで、陽子のラブの軌道＝8.4394×10-34m 。陽子のラブのエネルギー＝8.665×10-24Jm÷(8.4394×10-34m)＝1.027×1010J.
陽子のラブのエネルギーが1.027×1010Jのとき、陽子のラブの軌道は8.4394×10-34mとなり、1公転で、軌道が8.4394×10-34mで、1.4610×10-8Jの電気の光子を作る。
この場合、陽子のラブは、地表の、1.027×1010J÷(1.5033×10-10J)＝6.832×1019倍のエネルギーに成っている。
この場合、Z0の電気の光子は1つではなくたくさんできる。陽子のラブが公転している間中できる。
ヒッグス粒子の場合。
磁気の光子の軌道＝6.1420×10-34m。それで、陽子のラブの軌道＝6.1420×10-34m。陽子のラブのエネルギー＝8.665×10-24Jm÷(6.1420×10-34m)＝1.411×1010J.
陽子のラブのエネルギーが1.393×1010Jのとき、陽子のラブの軌道は6.1420×10-34mとなり、1公転で、軌道が6.1420×10-34mで、2.0075×10-8Jの磁気の光子を作る。
この場合、ヒッグス粒子の磁気の光子は1つではなくたくさんできる。陽子のラブが公転している間中できる。
この事を表に示す。
表7
2014023287.tif 000016
この事から理解できる事。
1．陽子のラブが粒子と同じ軌道を公転し、粒子を作っているとすると、陽子のラブがその軌道を公転している間中、粒子はできるので、粒子の数は多くなる。
【請求項２１】
これら物が存在する事により、何が理解できるか。
陽子のラブは光速に加速された場でも、地表と同じように自転し磁気の光子を作り、公転し電気の光子を作っている。
軌道エネルギー＝速度2の式は、速度が光速に成った場でも適用できる。
陽子のラブの軌道エネルギー＝8.665×10-24Jmの式は、速度が光速に成った場でも適用できる。
光子の軌道エネルギー＝1.233×10-41Jmの式は、速度が光速に成った場でも適用できる。
【発明の詳細な説明】
【技術分野】
【０００１】
本発明は、グルーオンのW＋とZ0、uクオークとdクオーク、ヒッグス粒子に関するものである。詳しくは、グルーオンのW＋とZ0、uクオークとdクオーク、ヒッグス粒子とはどのようなものであるか。光速に加速された陽子の中はどのようであるか。これら物が存在する事により、何が理解できるかに関する。
【背景技術】
【０００２】
最近ヒッグス粒子の存在が確定された。ヒッグス粒子の質量は陽子の130倍です。
uクオークは、＋2/3の電荷で、スピンは1/2、質量は1.7Mev〜3.1Mevです。
dクオークは、-1/3の電荷で、スピンは1/2、質量は4.1Mev〜5.7Mevです。
グルーオンは2種類で、W＋は、＋1の電荷で、スピンは1、質量は80.399G＋−0.023Gevです。
Z0は、電荷は0で、スピンは1、質量は91.188＋−0.002Gevです。
これらのものは陽子を光速まで加速し、陽子と陽子を衝突させてできた物によって検出された。
【先行技術文献】
【非特許文献】
【０００３】
【特許文献１】特願2003-54957
【特許文献２】特願2006-336352
【特許文献３】特願2008-23309
【発明の概要】
【発明が解決しようとする課題】
【０００４】
１．光速に加速すると、どうしてその中の物のエネルギーは光速2に成るのか。
２．陽子と陽子を光速まで加速し衝突させ、そこに放出する物は何か。
３．光速に加速した陽子の中には何が存在するか。
４．光速に加速した陽子を衝突させた時、放出する物は何か。
５．光速に加速した陽子を衝突させた時放出する物のエネルギーは、地表においてはどれくらいのエネルギーであるか。
６．陽子と陽子を秒速bmになるまで加速し、それを衝突させた場合、どのような物が放出するか。
７．Uクオークの軌道はいくらか。このUクオークの軌道は妥当であるか。
８．クオークは何であるか。
９．uクオークの軌道はいくらか。dクオークの軌道はいくらか。
１０．グルーオンのW＋の質量とエネルギーと軌道はいくらか。
１１．グルーオンのZ0の質量とエネルギーと軌道はいくらか。
１２．ヒッグス粒子の質量とエネルギーと軌道はいくらか。ヒッグス粒子のスピンが1で磁気の光子の場合。
１３．ヒッグス粒子のスピンを1/2とし、電気の光子＋磁気の光子、であると考える場合の電気の光子のエネルギーと磁気の光子のエネルギーはいくらで、電磁気の軌道はいくらか。
１４．光速に加速された陽子の中の電気の光子のエネルギー(＝W＋)は、地表の陽子の中の電気の光子のエネルギーの何倍になるか。
１５．陽子を光速にする事によって陽子の中の電気の光子のエネルギーはどのように変化したか。この事は、何を証明するか。
１６．陽子を光速にする事によって陽子の中のZ0とクオーク粒子とヒッグス粒子は、地表の粒子の何倍のエネルギーに成ったものか。これは光速2の何倍か。
１７．もし、W＋、Z0、uクオーク、dクオーク、ヒッグス粒子が、光速に加速した陽子のラブが1公転で作る1.925×10-11Jのエネルギーでできたとしたなら、何個の電気の光子でできたか。
１８．光速に加速した陽子のラブの状態はどのようであるか。
１９．もし、W＋、Z0、uクオーク、dクオーク、ヒッグス粒子が、光速に加速した陽子のラブが1公転で作る1.925×10-11Jのエネルギーでできたとしたなら、何個の電気の光子でできたか。
２０．もし、W＋やZ0やヒッグス粒子が加速した陽子のラブでできたとすると、陽子のラブのエネルギーはいくらであったか。
２１．これらの物が存在する事により、何が理解できるか。
【課題を解決するための手段】
【０００５】
1．軌道エネルギー＝速度2．軌道の速度をamとすると、軌道のエネルギーはa2Jに成る。この事により、速度を光速にすると、軌道のエネルギーは9×1016倍に成る。
2．陽子を光速にし、陽子のラブのエネルギーが9×1016倍に成る。それを衝突させる事によって、陽子の中の物が放出する。
3．放出した物は素粒子と見なされた。
4．素粒子の正体は、9×1016倍のエネルギーに成った陽子のラブが作ったものである。
5．9×1016倍のエネルギーに成った陽子のラブは自転し磁気の光子を作り、公転し電気の光子を作る。
6．これらの電磁気が放出し、素粒子と見なされた。
【発明の効果】
【０００６】
次の事が理解できた。
1．軌道エネルギー＝速度2．軌道の速度をamとすると、軌道のエネルギーはa2Jに成る。
2．光速に加速した陽子と陽子を衝突させると、光速まで加速した陽子の中にある物が放出する。
3．光速に加速した陽子の中には、光速2倍のエネルギーの陽子のラブとその陽子のラブが作った電磁気が存在する。
4．電磁気だけが放出したように見える。
5．光速に加速した陽子を衝突させた時放出する物のエネルギーは、地表のエネルギーの光速2倍ですから、そのエネルギーは、地表においては光速2分の1です。
6．衝突させて放出する物は、b2倍のエネルギーに成った磁気の光子と電気の光子です。
7．Uクオークの軌道は2.254×10-11mであるとすると、陽子の大きさより大きい事になる。
8．クオークは電磁気である。
9．uクオークの軌道は、3.2067×10-29mです。dクオークの軌道は、軌道は、1.5706×10-29mです。
10．W＋は電気の光子です。W＋の軌道は9.5722×10-34mです。
11．Z0は電気の光子です。Z0の軌道は8.4394×10-34mです。
12．ヒッグス粒子は磁気の光子です。ヒッグス粒子の軌道は6.1420×10-34mです。
13．ヒッグス粒子のスピンを1/2とし、電気の光子＋磁気の光子、であると考える場合、ヒッグス粒子の軌道は1.2284×10-33mです。
14．光速に加速された陽子の中の電気の光子のエネルギー(W＋)は、地表の陽子の中の電気の光子のエネルギーの6.022×1019倍です。
15．陽子を光速にする事によって陽子の中の電気の光子(W＋)のエネルギーは、光速2×6.691×102倍に成った。
16．uクオークとdクオークのエネルギーは、地表の陽子の中の電気の光子のエネルギー×9×1016倍より小さい。
小さいエネルギーが光子のエネルギーに成っているので、減少したエネルギーの光子がuクオークとdクオークに成っている。
17．W＋、Z0、ヒッグス粒子のエネルギーは、地表の陽子の中の電気の光子のエネルギー×9×1016の6.7×102倍〜10×102倍です。
18．この事は、地表の陽子の中の電気の光子のエネルギーも6.7×102倍〜10×102倍のエネルギー差があるのかもしれない。
19．電子の中の特性X線のように、K系、L系、M系、のように、軌道別(エネルギー別)に分かれて存在していると考えられる。
20．例えば、AuのK系特性X線の波長は、0.0153nm〜0.0182nmで、L系特性X線の波長は、0.0927nm〜0.1277nmで、M系特性X線の波長は、0.5840nm〜0.747nmです。
このように分かれて存在していると考えられる。
21．それで、地表の陽子の中の電気の光子のエネルギーも6.7×102倍〜10×102倍のエネルギー差があるのかもしれない。
22．この事によって、光速に加速した時も、このエネルギーの差が現れたと考える。
23．光速に加速した粒子のエネルギーは、地表ではその9×1016分の1です。
24．地表でのエネルギーが粒子の質量エネルギーとして記されるべきである。
25．もし、陽子のラブが発見されるとしたら、そのエネルギーは、1.353×107J ＝8.445×1016GeVです。
26．もし、陽子のラブが発見されるとしたら、陽子のラブの公転軌道は6.404×10-31mで、1公転で作る電磁気の公転軌道は、6.404×10-31mで、そのエネルギーは、1.233×10-41Jm÷(6.404×10-31m)＝1.925×10-11J、です。
27．光速に加速された陽子のラブが1公転で作る電気の光子1個の軌道は6.404×10-31mで、エネルギーは1.925×10-11Jです。
28．光速に加速された陽子のラブが1公転で作る磁気の光子4.34×104個の軌道は6.404×10-31mで、エネルギーは1.925×10-11Jです。
29．光速に加速された陽子のラブが1自転で作る磁気の光子1個の軌道は4.633×10-35mで、エネルギーは4.435×10-１６Jです。
30．光速に加速された陽子のラブのエネルギーは、9×1016倍のエネルギーに成り、1.925×10-11Jの光子を作る。この光子が集まって、W＋やZ0やヒッグス粒子ができたとも考えられる。
31．光速に加速された陽子のラブは、1公転で1.925×10-11Jの磁気の光子を作ります。それで、引力は大きい。そのため、電気の光子や磁気の光子は集まる。
32．W＋は6.691×102個の1.925×10-11Jの電気の光子が集まった物です。Z0は7.590×102個の1.925×10-11Jの電気の光子が集まった物です。ヒッグス粒子は1.043×103個の1.925×10-11Jの磁気の光子が集まった物です。
33．クオークは1.925×10-11Jよりエネルギーが小さいので、集合して存在したのではない。
34．9×1016倍のエネルギーの場では、W＋やZ0やヒッグス粒子はこの個数の光子に崩壊する。それから更に低エネルギーの場になると、更にたくさんの低エネルギーの光子に崩壊する。
35．1．陽子のラブが粒子と同じ軌道を公転し、粒子を作っているとすると、陽子のラブがその軌道を公転している間中、粒子はできるので、粒子の数は多くなる。
36．陽子のラブは光速に加速された場でも、地表と同じように自転し磁気の光子を作り、公転し電気の光子を作っている。
37．軌道エネルギー＝速度2の式は、速度が光速に成った場でも適用できる。
38．陽子のラブの軌道エネルギー＝8.665×10-24Jmの式は、速度が光速に成った場でも適用できる。
39．光子の軌道エネルギー＝1.233×10-41Jmの式は、速度が光速に成った場でも適用できる。
【図面の簡単な説明】
【０００７】
【図１】図１は、光速に加速した陽子のラブの状態光速に加速された場の陽子のラブのエネルギーは、1.5033×10-10J×9×1016＝1.353×107J、です。質量エネルギーは8.445×1016GeVです。光速に加速された場の陽子のラブの公転軌道は、8.665×10-24Jm÷(1.353×107J)＝6.404×10-31m、です。光速に加速された場の陽子のラブの自転軌道は、公転軌道×3.14÷1公転するときの自転数＝6.404×10-31m×3.14÷(4.34×104個)＝4.633×10-35m、です。陽子のラブが1公転で作る電気の光子1個の軌道は6.404×10-31mで、そのエネルギーは、1.233×10-41Jm÷(6.404×10-31m)＝1.925×10-11J、です。陽子のラブが1公転で作る磁気の光子4.34×104個の軌道は6.404×10-31mで、そのエネルギーは、1.233×10-41Jm÷(6.404×10-31m)＝1.925×10-11J、です。陽子のラブが1自転で作る磁気の光子1個の軌道は4.633×10-35mで、そのエネルギーは、1.925×10-11J÷(4.34×104個)＝4.435×10-１６J、です。
【図２】図２は、  陽子を光速にする事によって、陽子の中のW＋とZ0とヒッグス粒子のエネルギーは地表の陽子の中の電気の光子のエネルギーの何倍のエネルギーになったか。これは光速2の何倍かを示す。W＋の場合。W＋のエネルギー÷地表の陽子の中の電気の光子＝1.2881×10-8J÷(2.139×10-28J)＝6.022×1019倍。6.022×1019倍÷(9×1016)＝6.691×102倍。Z0の場合。Z0のエネルギー÷地表の陽子の中の電気の光子＝1.4610×10-8J÷(2.139×10-28J)＝6.830×1019(倍)。6.830×1019倍÷(9×1016)＝7.589×102倍。ヒッグス粒子の場合。ヒッグス粒子のエネルギー÷地表の陽子の中の電気の光子＝2.0075×10-8J÷(2.139×10-28J)＝9.385×1019(倍)。9.385×1019倍÷(9×1016)＝1.043×103倍。この事は、地表の陽子の中の電気の光子のエネルギーも6.691×102倍から1.043×103倍の差があるのかもしれない。それは、電子の中の特性X線のK系、L系、M系のように、軌道別(エネルギー別)に分かれて存在していると考えられる。
【図３】図３は、光速に加速した陽子のラブは、1公転で、1.925×10-11Jの電磁気を作る。W＋やZ0やヒッグス粒子は何個の電磁気でできたかを示す。W＋の場合。W＋のエネルギー÷光速に加速した陽子のラブが1公転で作る1個の電気の光子のエネルギー＝1.2881×10-8J÷(1.925×10-11J)＝6.691×102個Z0の場合。Z0のエネルギー÷光速に加速した陽子のラブが1公転で作る1個の電気の光子のエネルギー＝1.4610×10-8J÷(1.925×10-11J)＝7.590×102個ヒッグス粒子の場合。ヒッグス粒子のエネルギー÷光速に加速した陽子のラブが1公転で作る磁気の光子のエネルギー＝2.0075×10-8J÷(1.925×10-11J)＝1.043×103個
【発明を実施するための形態】
【０００８】
１．    光速に加速すると、どうしてその中の物のエネルギーは光速2に成るのか。
軌道エネルギー＝速度2．軌道の速度をamとすると、軌道のエネルギーはa2Jに成る。
それで、軌道の速度を光速にすると、軌道のエネルギーは光速2になる。
軌道を光速に加速すると、その中の物のエネルギーは光速2に成る
２．    陽子と陽子を光速まで加速し衝突させ、そこに放出する物は何か。
電子を急にカーブさせると、電子の外側の光子が放出する。電子を何かに衝突させると、電子の中の光子が放出する。
光速に加速した陽子と陽子を衝突させると、光速まで加速した陽子の中にある物が放出する。
陽子と陽子を光速まで加速し衝突させ、そこに放出する物は光速まで加速した陽子の中にある物です。
３．    光速に加速した陽子の中には何が存在するか。
光速に加速した陽子の中のエネルギーは速度2に成っている。陽子のラブのエネルギーは光速2倍に成っている。陽子のラブが作る電磁気のエネルギーも光速2倍に成っている。
光速に加速した陽子の中には、光速2倍のエネルギーの陽子のラブとその陽子のラブが作った光速2倍のエネルギーの電磁気が存在する。
４．    光速に加速した陽子を衝突させた時、放出する物は何か。
光速に加速した陽子を衝突させた時放出する物は、光速2倍のエネルギーの陽子のラブとその陽子のラブが作った光速2倍のエネルギーの電磁気です。
しかし、陽子のラブは再び自転し、公転し、磁気の光子と電気の光子を作り続けるので、陽子として存在し続ける。それで、電磁気だけが放出したように見える。
５．    光速に加速した陽子を衝突させた時放出する物のエネルギーは、地表においてはどれくらいのエネルギーであるか。
光速に加速した陽子を衝突させた時放出する物のエネルギーは、地表のエネルギーの光速2倍ですから、そのエネルギーは、地表においては光速2分の1です。
６．    陽子と陽子を秒速bmになるまで加速し、それを衝突させた場合、どのような物が放出するか。
その軌道の速度は秒速bmですから、軌道エネルギーはb2倍に成ります。軌道のエネルギーは、b2倍に成ります。それで、陽子のラブのエネルギーはb2倍に成ります。陽子のラブの自転と公転によってできた磁気の光子のエネルギーと電気の光子のエネルギーもb2倍に成ります。
それで、それを衝突させて放出する物は、b2倍のエネルギーに成った磁気の光子と電気の光子です。
b2倍のエネルギーに成った陽子のラブは放出後もそのまま陽子のラブとして存在し、自転し、公転しながら磁気の光子と電気の光子を作っている。即ち、陽子として存在している。
７．    Uクオークの軌道はいくらか。このUクオークの軌道は妥当であるか。
・Uクオークの軌道はいくらか。
素粒子の軌道エネルギーは、8.665×10-24Jm、です。
Uクオークの質量は1.7〜3.1Mevです。質量を中間の値とします。質量＝(1.7 Mev＋3.1Mev)÷2＝2.4 Mev。エネルギー＝2.4×106×1.60217×10-19J＝3.845×10-13J。
それで、Uクオークの軌道は、軌道＝8.665×10-24Jm÷(3.845×10-13J)＝2.254×10-11m。
Uクオークの軌道は2.254×10-11mです。
・このUクオークの軌道は妥当であるか。
陽子の大きさは、8.665×10-24Jm÷(938.272×106×1.60217×10-19J)＝8.665×10-24Jm÷(1.5033×10-10J)＝5.764×10-14m、です。
Uクオークの軌道は2.254×10-11mであるとすると、陽子の大きさより大きい事になる。
それで、Uクオークの軌道は2.254×10-11mではない。
８．    クオークは何であるか。
クオークのスピンは1/2ですから、クオークは電磁気である。
９．    uクオークの軌道はいくらか。dクオークの軌道はいくらか。
・uクオークの軌道はいくらか。
クオークは電磁気であるから、uクオークの質量は0です。
uクオークのエネルギーは、エネルギー＝2.4×106×1.60217×10-19J＝3.845×10-13J
uクオークの軌道は、軌道＝電気の光子の軌道エネルギー÷エネルギー＝1.233×10-41Jm÷(3.845×10-13J)＝3.2067×10-29m、です。
・dクオークの軌道はいくらか。
dクオークの質量は0です。dクオークのエネルギーは、4.1Mev〜5.7Mevです。エネルギーを中間の値とします。エネルギー＝(4.1 Mev＋5.7Mev)÷2＝4.9 Mev。エネルギー＝4.9×106×1.60217×10-19J＝7.8506×10-13J。
軌道＝1.233×10-41Jm÷(7.8506×10-13J)＝1.5706×10-29m、です。
１０．    グルーオンのW＋の質量とエネルギーと軌道はいくらか。
W＋は、＋1の電荷で、スピンは1、質量は80.399G＋−0.023Gevです。
スピン１は、電気の光子です。それで、W＋は電気の光子です。それで、質量は0です。エネルギーは、80.399＋−0.023Gevです。W＋のエネルギーを80.400 Gevとします。エネルギー＝80.400×109×1.60217×10-19J＝1.2881×10-8J。
軌道＝1.233×10-41Jm÷(1.2881×10-8J)＝9.5722×10-34m。
１１．    グルーオンのZ0の質量とエネルギーと軌道はいくらか。
スピン１は、電気の光子です。それで、Z0は電気の光子です。それで、質量は0です。エネルギーは、91.188＋−0.002Gevです。Z0のエネルギーを91.188 Gevとします。エネルギー＝91.188×109×1.60217×10-19J＝1.4610×10-8J。
軌道＝1.233×10-41Jm÷(1.4610×10-8J)＝8.4394×10-34m。
１２．    ヒッグス粒子の質量とエネルギーと軌道はいくらか。ヒッグス粒子のスピンが1で磁気の光子の場合。
ヒッグス粒子の質量は陽子の130倍だといいます。これは、エネルギーです。
ヒッグス粒子は粘りがあり、抵抗があるといいます。これは磁気の光子の性質です。それで、ヒッグス粒子は磁気の光子です。
質量は0です。ヒッグス粒子のエネルギーを125.3Gevとします。ヒッグス粒子のエネルギー＝125.3×109×1.60217×10-19J＝2.0075×10-8J。このエネルギーは1公転でできる磁気の光子のエネルギーです。4.34×104個の磁気の光子のエネルギーです。この軌道は電気の光子の軌道と同じです。
磁気の光子の軌道＝1.233×10-41Jm÷(2.0075×10-8J)＝6.1420×10-34m。
但し、1個の磁気の光子のエネルギーは、2.0075×10-8J÷(4.34×104個)＝4.626×10-13J、です。
但し、1個の磁気の光子の軌道は、公転軌道×3.14÷1公転の自転数＝6.1420×10-34m×3.14÷(4.34×104個)＝4.444×10-38m、です。
１３．    ヒッグス粒子のスピンを1/2とし、電気の光子＋磁気の光子、であると考える場合の電気の光子のエネルギーと磁気の光子のエネルギーはいくらで、電磁気の軌道はいくらか。
ヒッグス粒子の質量は125.3GeVですから、このエネルギーは2.0075×10-8Jです。これは、電気の光子のエネルギー+磁気の光子のエネルギーです。
電気の光子のエネルギー＝磁気の光子のエネルギー、ですから、電気の光子のエネルギー＝磁気の光子のエネルギー＝2.0075×10-8J÷2＝1.00375×10-8J、です。
この軌道は、軌道＝1.233×10-41Jm÷(1.00375×10-8J)＝1.2284×10-33m、です。
まとめて表にする。
表１
2014023287.tif 000003
この表により理解できる事。
１．グルーオンとヒッグス粒子は陽子の中に存在するはずなのに、陽子の質量エネルギーより大きいのは理に反する。
2．このデーターは陽子を光速に加速し、加速された陽子の中のエネルギーであるから、地表においてのエネルギーはその(3×108)2分の1です。
3．速度2＝軌道エネルギー。この場合、軌道はありませんから、速度2＝エネルギー、です。
4．軌道の速度は電気の光子のエネルギーでできます。電気の光子のエネルギー＝速度2、です。それで、光速にした場合の軌道のエネルギー＝電気の光子のエネルギー＝光速2倍です。
5．速度を3×108mにしたので、陽子のエネルギーは9×1016倍に成る。
6．この表は、W＋、Z0、uクオーク、dクオーク、ヒッグス粒子を電磁気であるとし、電気の光子の軌道＝1.233×10-41Jm÷電気の光子のエネルギー、の式により計算したものです。
１４．    光速に加速された陽子の中の電気の光子のエネルギー(＝W＋)は、地表の陽子の中の電気の光子のエネルギーの何倍になるか。
・地表の陽子のラブの公転軌道はいくらか。この公転でできる電気の光子の軌道はいくらか。
地表の陽子のラブのエネルギーは、938.272×106×1.60217×10-19J＝1.5033×10-10Jです。
陽子のラブの軌道は、8.665×10-24Jm÷(1.5033×10-10J)＝5.764×10-14m、です。
地表の陽子のラブの公転軌道は、5.764×10-14mです。
陽子のラブがこの軌道を公転する事により、電気の光子ができる。
それで、陽子の中でできる電気の光子の軌道は5.764×10-14mです。
・地表の陽子の中の電気の光子の軌道は、光速に加速された陽子の中の電気の光子(W＋)の軌道の何倍か。
地表の陽子の中の電気の光子の軌道÷光速に加速された陽子の中の電気の光子(W＋)の軌道＝5.764×10-14m÷W＋の軌道＝5.764×10-14m÷(9.5722×10-34m)＝6.022×1019
地表の陽子の中の電気の光子の軌道は、光速に加速された陽子の中の電気の光子(W＋)の軌道の6.022×1019倍です。
・光速に加速された陽子の中の電気の光子(W＋)のエネルギーは、地表の陽子の中の電気の光子のエネルギーの何倍になるか。
地表の陽子の中の電気の光子のエネルギーは、エネルギー=1.233×10-41Jm÷(5.764×10-14m)＝2.139×10-28J、です。
光速に加速された陽子の中の電気の光子(W＋)のエネルギー÷地表の陽子の中の電気の光子のエネルギー
＝W＋のエネルギー÷2.139×10-28J＝1.2881×10-8J÷(2.139×10-28J)＝6.022×1019．
光速に加速された陽子の中の電気の光子のエネルギー(W＋)は、地表の陽子の中の電気の光子のエネルギーの6.022×1019倍です。
１５．    陽子を光速にする事によって陽子の中の電気の光子のエネルギーはどのように変化したか。この事は、何を証明するか。
陽子を光速にする事によって陽子の中の電気の光子(W＋)のエネルギーは6.022×1019倍になった。
・この事は、何を証明するか。
陽子の速度を光速に加速する事によって、陽子の中の電気の光子(W＋)のエネルギーは、6.022×1019倍になった。
これは、光速2の何倍か。
6.022×1019倍÷(3×108)2＝6.691×102倍。
陽子を光速にする事によって陽子の中の電気の光子(W＋)のエネルギーは、光速2×6.691×102倍に成った。
この事を表に示す。
表2
2014023287.tif 000004
この事によって理解した事。
1．陽子を光速にする事によって陽子の中の電気の光子(W＋)のエネルギーは、光速2×6.691×102倍に成った。
１６．    陽子を光速にする事によって陽子の中のZ0とuクオークとdクオークとヒッグス粒子は、地表の粒子の何倍のエネルギーに成ったものか。これは光速2の何倍か。
Z0の場合。
Z0のエネルギー÷地表の陽子の中の電気の光子＝1.4610×10-8J÷(2.139×10-28J)＝6.830×1019(倍)
6.830×1019倍÷(9×1016)＝7.589×102倍。
uクオークの場合。
uクオークのエネルギー÷地表の陽子の中の電気の光子＝3.845×10-13J÷(2.139×10-28J)＝1.798×1015(倍)
1.798×1015倍÷(9×1016)＝1.998×10-2倍。
dクオークの場合。
dクオークのエネルギー÷地表の陽子の中の電気の光子＝7.8506×10-13J÷(2.139×10-28J)＝3.670 ×1015(倍)
3.670 ×1015倍÷(9×1016)＝4.078×10-2倍。
ヒッグス粒子の場合。
ヒッグス粒子のエネルギー÷地表の陽子の中の電気の光子＝2.0075×10-8J÷(2.139×10-28J)＝9.385×1019(倍)
9.385×1019倍÷(9×1016)＝1.043×103倍。
この事を表に示す。
表3
2014023287.tif 000005
この事によって理解できたこと。
１．uクオークとdクオークのエネルギーは、地表の陽子の中の電気の光子のエネルギー×9×1016倍より小さい。小さいエネルギーが光子のエネルギーに成っているので、減少したエネルギーの光子がuクオークとdクオークに成っている。
2．W＋、Z0、ヒッグス粒子のエネルギーは、地表の陽子の中の電気の光子のエネルギー×9×1016の6.7×102倍〜10×102倍です。
3．この事は、地表の陽子の中の電気の光子のエネルギーも6.7×102倍〜10×102倍のエネルギー差があるのかもしれない。
4．電子の中の特性X線のように、K系、L系、M系、のように、軌道別(エネルギー別)に分かれて存在していると考えられる。
5．例えば、AuのK系特性X線の波長は、0.0153nm〜0.0182nmで、L系特性X線の波長は、0.0927nm〜0.1277nmで、M系特性X線の波長は、0.5840nm〜0.747nmです。
このように分かれて存在していると考えられる。
6．それで、地表の陽子の中の電気の光子のエネルギーも6.7×102倍〜10×102倍のエネルギー差があるのかもしれない。
7．この事によって、光速に加速した時も、このエネルギーの差が現れたと考える。
１７．    光速に加速し、陽子の中から放出したエネルギーで、グルーオンのW＋とZ0の質量エネルギーやクオークの質量エネルギーやヒッグスの質量エネルギーを求めた。光速に加速しない陽子の中で、これらの粒子のエネルギーはいくらか。
光速に加速する事によって、電気の光子のエネルギーは(3×108)2倍に成る。光速に加速する以前の、地表でのエネルギーはいくらであったか。この光子の軌道はいくらであったか。
W＋の場合。
地表でのエネルギー＝W＋のエネルギー÷(9×1016)＝1.2881×10-8J÷(9×1016)＝1.431×10-25J。
この光子の軌道＝1.233×10-41Jm÷(1.431×10-25J)＝8.616×10-17m。
Z0の場合。
地表でのエネルギー＝Z0のエネルギー÷(9×1016)＝1.4610×10-8J÷(9×1016)＝1.623×10-25J。
この光子の軌道＝1.233×10-41Jm÷(1.623×10-25J)＝7.597×10-17m。
uクオークの場合。
地表でのエネルギー＝uクオークエネルギー÷(9×1016)＝3.845×10-13J÷(9×1016)＝4.272×10-30J。
この光子の軌道＝1.233×10-41Jm÷(4.272×10-30J)＝2.886×10-12m
dクオークの場合。
地表でのエネルギー＝dクオークエネルギー÷(9×1016)＝7.8506×10-13J÷(9×1016)＝8.723×10-30J。
この光子の軌道＝1.233×10-41Jm÷(8.723×10-30J)＝1.414 ×10-12m
ヒッグス粒子の場合。
地表でのエネルギー＝ヒッグス粒子のエネルギー÷(9×1016)＝2.0075×10-8J÷(9×1016)＝2.231×10-25J。
この光子の軌道＝1.233×10-41Jm÷(2.231×10-25J)＝5.527×10-17m。
この事を表に示す。
表4
2014023287.tif 000006
この事によって理解できる事。
１．光速に加速した粒子のエネルギーは、地表ではその9×1016分の1です。
2．地表でのエネルギーが粒子のエネルギーとして記されるべきである。
１８．    光速に加速した陽子のラブの状態はどのようであるか。
・光速に加速した陽子のラブのエネルギーは、1.5033×10-10J×9×1016＝1.353×107J、です。
これは、1.353×107J÷(109×1.60217×10-19J)=8.445×1016GeV
・もし、光速に加速された陽子のラブが発見されるとしたら、そのエネルギーは、1.353×107J ＝8.445×1016GeVです。
この公転軌道は、8.665×10-24Jm÷(1.353×107J)＝6.404×10-31m。
この公転軌道は6.404×10-31mです。
この自転軌道は、公転軌道×3.14÷1公転の自転数＝6.404×10-31m×3.14÷(4.34×104)＝4.633×10-35m。
この自転軌道は4.633×10-35mです。
・もし、光速に加速された陽子のラブが発見されるとしたら、陽子のラブの公転軌道は6.404×10-31mで、1公転で作る電磁気の公転軌道は、6.404×10-31mで、そのエネルギーは、1.233×10-41Jm÷(6.404×10-31m)＝1.925×10-11J、です。
・光速に加速された陽子のラブが1公転で作る電気の光子1個の軌道は6.404×10-31mで、エネルギーは1.925×10-11Jです。
・光速に加速された陽子のラブが1公転で作る磁気の光子4.34×104個の軌道は6.404×10-31mで、エネルギーは1.925×10-11Jです。
光速に加速された陽子のラブが1自転で作る磁気の光子1個の軌道は4.633×10-35mで、エネルギーは、電気の光子エネルギー÷1公転の磁気の光子の数＝1.925×10-11J
J÷(4.34×104)＝4.435×10-１６J、です。
・光速に加速された陽子のラブが1自転で作る磁気の光子1個の軌道は4.633×10-35mで、エネルギーは4.435×10-１６Jです。
この事を表に示す。
光速に加速した陽子のラブの状態
表5
2014023287.tif 000007
１９．    もし、W＋、Z0、uクオーク、dクオーク、ヒッグス粒子が、光速に加速した陽子のラブが1公転で作る1.925×10-11Jのエネルギーでできたとしたなら、何個の電気の光子でできたか。
W＋の場合。
W＋のエネルギー÷光速に加速した陽子のラブが1公転で作る1個の電気の光子のエネルギー＝1.2881×10-8J÷(1.925×10-11J)＝6.691×102個
Z0の場合。
Z0のエネルギー÷光速に加速した陽子のラブが1公転で作る1個の電気の光子のエネルギー＝1.4610×10-8J÷(1.925×10-11J)＝7.590×102個
uクオークの場合。
uクオークのエネルギー÷光速に加速した陽子のラブが1公転で作る1個の電気の光子のエネルギー＝3.845×10-13J÷(1.925×10-11J)＝1.997×10-2個
dクオークの場合。
dクオークのエネルギー÷光速に加速した陽子のラブが1公転で作る1個の電気の光子のエネルギー＝7.8506×10-13J÷(1.925×10-11J)＝4.078×10-2個
ヒッグス粒子の場合。
ヒッグス粒子のエネルギー÷光速に加速した陽子のラブが1公転で作る磁気の光子のエネルギー＝2.0075×10-8J÷(1.925×10-11J)＝1.043×103個
この事を表に示す。
表6
2014023287.tif 000008
この事によって理解できる事。
1．光速に加速された陽子のラブのエネルギーは、9×1016倍のエネルギーに成り、1.925×10-11Jの光子を作る。この光子が集まって、W＋やZ0やヒッグス粒子ができたとも考えられる。
2．光速に加速された陽子のラブは、1公転で1.925×10-11Jの磁気の光子を作ります。それで、引力は大きい。そのため、電気の光子や磁気の光子は集まる。
3．W＋は6.691×102個の1.925×10-11Jの電気の光子が集まった物です。Z0は7.590×102個の1.925×10-11Jの電気の光子が集まった物です。ヒッグス粒子は1.043×103個の1.925×10-11Jの磁気の光子が集まった物です。
4．クオークは1.925×10-11Jよりエネルギーが小さいので、集合して存在したのではない。
5．9×1016倍のエネルギーの場では、W＋やZ0やヒッグス粒子はこの個数の光子に崩壊する。それから更に低エネルギーの場になると、更にたくさんの低エネルギーの光子に崩壊する。
２０．    もし、W＋やZ0やヒッグス粒子が加速した陽子のラブでできたとすると、陽子のラブのエネルギーはいくらであったか。
陽子のラブの公転軌道と同じ軌道の電磁気ができたとする。
W＋の場合。
電気の光子の軌道＝9.5722×10-34m。それで、陽子のラブの軌道＝9.5722×10-34m。陽子のラブのエネルギー＝8.665×10-24Jm÷(9.5722×10-34m)＝9.052×109J.
陽子のラブのエネルギーが9.052×109Jのとき、陽子のラブの軌道は9.5722×10-34mとなり、1公転で、軌道が9.5722×10-34m
で、1.2881×10-8Jの電気の光子を作る。
この場合、陽子のラブは、地表の、9.052×109J÷(1.5033×10-10J)＝6.021×1019倍のエネルギーに成っている。
この場合、W＋の電気の光子は1つではなくたくさんできる。陽子のラブが公転している間中できる。
Z0の場合。
電気の光子の軌道＝8.4394×10-34m。それで、陽子のラブの軌道＝8.4394×10-34m 。陽子のラブのエネルギー＝8.665×10-24Jm÷(8.4394×10-34m)＝1.027×1010J.
陽子のラブのエネルギーが1.027×1010Jのとき、陽子のラブの軌道は8.4394×10-34mとなり、1公転で、軌道が8.4394×10-34mで、1.4610×10-8Jの電気の光子を作る。
この場合、陽子のラブは、地表の、1.027×1010J÷(1.5033×10-10J)＝6.832×1019倍のエネルギーに成っている。
この場合、Z0の電気の光子は1つではなくたくさんできる。陽子のラブが公転している間中できる。
ヒッグス粒子の場合。
磁気の光子の軌道＝6.1420×10-34m。それで、陽子のラブの軌道＝6.1420×10-34m。陽子のラブのエネルギー＝8.665×10-24Jm÷(6.1420×10-34m)＝1.411×1010J.
陽子のラブのエネルギーが1.393×1010Jのとき、陽子のラブの軌道は6.1420×10-34mとなり、1公転で、軌道が6.1420×10-34mで、2.0075×10-8Jの磁気の光子を作る。
この場合、ヒッグス粒子の磁気の光子は1つではなくたくさんできる。陽子のラブが公転している間中できる。
この事を表に示す。
表7
2014023287.tif 000009
この事から理解できる事。
1．陽子のラブが粒子と同じ軌道を公転し、粒子を作っているとすると、陽子のラブがその軌道を公転している間中、粒子はできるので、粒子の数は多くなる。
２１．    これら物が存在する事により、何が理解できるか。
陽子のラブは光速に加速された場でも、地表と同じように自転し磁気の光子を作り、公転し電気の光子を作っている。
軌道エネルギー＝速度2の式は、速度が光速に成った場でも適用できる。
陽子のラブの軌道エネルギー＝8.665×10-24Jmの式は、速度が光速に成った場でも適用できる。
光子の軌道エネルギー＝1.233×10-41Jmの式は、速度が光速に成った場でも適用できる。
【産業上の利用可能性】
【０００９】
産業は人間の興味に追従する。
【符号の説明】
【００１０】
１    光速に加速された場の陽子のラブ
２    光速に加速された場の陽子のラブのエネルギーは、1.5033×10-10J×9×1016＝1.353×107J、です。質量エネルギーは8.445×1016GeVです。
３    光速に加速された場の陽子のラブの公転軌道は、8.665×10-24Jm÷(1.353×107J)＝6.404×10-31m、です。
４    光速に加速された場の陽子のラブの自転軌道は、公転軌道×3.14÷1公転するときの自転数＝6.404×10-31m×3.14÷(4.34×104個)＝4.633×10-35m、です。
５    陽子のラブが1公転で作る電気の光子1個の軌道は6.404×10-31mで、そのエネルギーは、1.233×10-41Jm÷(6.404×10-31m)＝1.925×10-11J、です。
６    陽子のラブが1公転で作る磁気の光子4.34×104個の軌道は6.404×10-31mで、そのエネルギーは、1.233×10-41Jm÷(6.404×10-31m)＝1.925×10-11J、です。
７    陽子のラブが1自転で作る磁気の光子1個の軌道は4.633×10-35mで、そのエネルギーは、1.925×10-11J÷(4.34×104個)＝4.435×10-１６J、です。
８    W＋のエネルギーは地表の陽子の中の電気の光子×9×1016の6.691×102倍です。
９    Z0のエネルギーは地表の陽子の中の電気の光子×9×1016の7.589×102倍です。
１０    ヒッグス粒子のエネルギーは地表の陽子の中の電気の光子×9×1016の1.043×103倍です。
１１    光速に加速された陽子のラブの中に、3.2067×10-29mのuクオークは存在した。
１２    光速に加速された陽子のラブの中に、1.5706×10-29mのdクオークは存在した。
１３    W＋は、陽子のラブが1公転で作る1.925×10-11Jの電気の光子が6.691×102個集まってできた。
１４    Z0は、陽子のラブが1公転で作る1.925×10-11Jの電気の光子が7.590×102個集まってできた。
１５    ヒッグ粒子は、陽子のラブが1公転で作る1.925×10-11Jの磁気の光子が1.043×103個集まってできた。
【図１】
2014023287.tif 000017
【図２】
2014023287.tif 000018
【図３】
2014023287.tif 000019